(57)【要約】【課題】  深さの異なる各種の器に対応することができる飲料抽出用パックを提供する。【解決手段】  封止状態から使用状態に展開した状態で筒状を呈し、器Ｃの上縁Ｃ１に下縁を接して載置可能な台紙１と、この台紙１の内側に一体化された飲料抽出原料収容用のフィルタ２とを備えた飲料抽出用パックＡ１であって、台紙１の下縁には、器Ｃの上縁に対してこれを跨ぐように係合可能な複数の凹部１０Ａ，１０Ｂが設けられているとともに、台紙１にはさらに、部分的に折り立て、または、切除することによって器Ｃの上縁Ｃ１に対する係合位置を下方向に変更するための折り立て片１３が設けられている。【選択図】  図５
2006130113.tif 000002
【特許請求の範囲】
【請求項１】
封止状態から使用状態に展開した状態で筒状を呈し、器の上縁に下縁を接して載置可能な台紙と、この台紙の内側に一体化された飲料抽出原料収容用のフィルタとを備えた飲料抽出用パックであって、
上記台紙の下縁には、上記器の上縁に対してこれを跨ぐように係合可能な複数の凹部が設けられているとともに、
上記台紙にはさらに、部分的に折り立て、または、切除することによって上記器の上縁に対する係合位置を下方向に変更するための折り立て片または除去片が設けられていることを特徴とする、飲料抽出用パック。
【請求項２】
上記凹部は、上記台紙の下縁４箇所に設けられているとともに、当該台紙が筒状に展開した状態では２箇所ずつまとまった組が対向するように設けられており、かつ、上記折り立て片または除去片は、上記凹部の組ごとに各凹部の一部分とこれらの中間部分とを一続きのミシン目で区切るようにして形成されている、請求項１に記載の飲料抽出用パック。
【請求項３】
上記ミシン目は、上記凹部の組ごとに各凹部の底側からこれらの中間部分に連続して形成されているとともに、上記凹部の各組における各凹部の底側に凹溝を型取るように形成されている、請求項２に記載の飲料抽出用パック。
【請求項４】
上記凹部は、上記台紙の下縁４箇所に設けられているとともに、当該台紙が筒状に展開した状態では２箇所ずつまとまった組が対向するように設けられており、かつ、上記折り立て片または除去片は、上記４箇所の各凹部の底側一部分をミシン目で個別に区切るようにして形成されている、請求項１に記載の飲料抽出用パック。
【請求項５】
上記ミシン目は、上記凹部の各組における各凹部の底側に凹溝を型取るように形成されている、請求項４に記載の飲料抽出用パック。
【請求項６】
上記ミシン目は、上記凹溝の底側の一部に相当する部分がその余の部分よりも切断力に対して強靱となるように形成されている、請求項３または５に記載の飲料抽出用パック。
【請求項７】
上記台紙の上縁には、互いに対向して綴じ合わせておくための一対の凸部が設けられている、請求項１ないし６のいずれかに記載の飲料抽出用パック。
【請求項８】
上記一対の凸部のうちの一方の角には、切り欠き部が形成されている、請求項７に記載の飲料抽出用パック。
【請求項９】
上記フィルタは、上記台紙の内側面に接着された開口上部と、当該台紙の下縁よりも下方に位置する底部とを有している、請求項１ないし８のいずれかに記載の飲料抽出用パック。
【請求項１０】
上記フィルタ内には、上記底部が袋状に折り畳まれた状態で飲料抽出原料が収容されている、請求項９に記載の飲料抽出用パック。
【請求項１１】
上記台紙の上縁には、当該台紙を筒状に保持するための一対の切り返し部が設けられている、請求項１ないし１０のいずれかに記載の飲料抽出用パック。
【発明の詳細な説明】
【技術分野】
【０００１】
本願発明は、たとえば茶葉を抽出原料として湯飲み茶碗などの器に茶を抽出するための飲料抽出用パックに関する。
【背景技術】
【０００２】
従来の飲料抽出用パックとしては、たとえば特許文献１に開示されたものがある。この従来の飲料抽出用パックは、カップの上縁に載置可能な支持具（台紙）と、コーヒー粉末などの抽出原料を収容して支持具に一体化された抽出用バッグ（フィルタ）とを備えて基本的に構成されている。上記支持具の下縁には、カップの上縁の複数箇所に跨ぐようなかたちの複数の抉り部（凹部）が設けられている。このような飲料抽出用パックの使用時には、支持具を筒状に展開し、この支持具の抉り部をカップの上縁各所に跨ぐようにして支持具を載置し、そうした状態で抽出用バッグ内に湯を注ぐ。これにより、カップ内には、抽出用バッグから抽出されたコーヒーが滴下する。
【０００３】
【特許文献１】特開平９−１３１２６３号公報
【発明の開示】
【発明が解決しようとする課題】
【０００４】
しかしながら、上記従来の飲料抽出用パックは、コーヒーなどのドリップ方式で抽出するものとしては支障ないものの、たとえば茶を抽出するものとして用いた場合、以下に説明するような難点がある。
【０００５】
一般的な茶は、茶葉の成分をにじみ出させるために煎じて飲むものであるが、抽出用バッグに茶葉を収容した飲料抽出用パックを用いる場合、たとえば茶を抽出する器の深さが深くなると、器内に注がれた湯に抽出用バッグが十分浸らない状態となる。これでは、茶葉の成分が器内の湯ににじみ出にくくなり、その結果、お茶の味が薄れてしまう。つまり、従来の飲料抽出用パックでは、深さの異なる各種の器に対応することができないという難点があった。
【０００６】
本願発明は、上記した事情のもとで考え出されたものであって、深さの異なる各種の器に対応することができる飲料抽出用パックを提供することをその課題としている。
【課題を解決するための手段】
【０００７】
上記課題を解決するため、本願発明では、次の技術的手段を講じている。
【０００８】
本願発明によって提供される飲料抽出用パックは、封止状態から使用状態に展開した状態で筒状を呈し、器の上縁に下縁を接して載置可能な台紙と、この台紙の内側に一体化された飲料抽出原料収容用のフィルタとを備えた飲料抽出用パックであって、上記台紙の下縁には、上記器の上縁に対してこれを跨ぐように係合可能な複数の凹部が設けられているとともに、上記台紙にはさらに、部分的に折り立て、または、切除することによって上記器の上縁に対する係合位置を下方向に変更するための折り立て片または除去片が設けられていることを特徴としている。
【０００９】
好ましい実施の形態としては、上記凹部は、上記台紙の下縁４箇所に設けられているとともに、当該台紙が筒状に展開した状態では２箇所ずつまとまった組が対向するように設けられており、かつ、上記折り立て片または除去片は、上記凹部の組ごとに各凹部の一部分とこれらの中間部分とを一続きのミシン目で区切るようにして形成されている。
【００１０】
また、上記ミシン目は、上記凹部の組ごとに各凹部の底側からこれらの中間部分に連続して形成されているとともに、上記凹部の各組における各凹部の底側に凹溝を型取るように形成されている。
【００１１】
このような構成によれば、比較的浅い器に使用する場合には、台紙を筒状に展開して複数の凹部を器の上縁に跨ぐようにして台紙を載置すればよい。一方、比較的深い器に使用する場合には、折り立て片または除去片をたとえばミシン目に沿って折り立てあるいは切除し、その後にできた部分（凹溝）を器の上縁に挟み込むように係合すればよい。いずれにしても、フィルタ内に湯を注げば、器内の湯に対してフィルタを適度に浸かった状態にすることができる。したがって、本願発明によれば、器の深さを問わずフィルタ内の飲料抽出原料の成分をにじみ出しやすくすることができ、深さの異なる各種の器に対応することができる。
【００１２】
他の好ましい実施の形態としては、上記凹部は、上記台紙の下縁４箇所に設けられているとともに、当該台紙が筒状に展開した状態では２箇所ずつまとまった組が対向するように設けられており、かつ、上記折り立て片または除去片は、上記４箇所の各凹部の底側一部分をミシン目で個別に区切るようにして形成されている。
【００１３】
また、上記ミシン目は、上記凹部の各組における各凹部の底側に凹溝を型取るように形成されている。
【００１４】
このような構成によれば、比較的深い器に使用する場合、凹部ごとに折り立て片または除去片をたとえばミシン目に沿って折り立てあるいは切除するようにし、その後、凹部ごとにできた部分（凹溝）を器の上縁に挟み込むように係合すればよい。このような構成によっても、深さの異なる各種の器に対応することができる。
【００１５】
他の好ましい実施の形態としては、上記ミシン目は、上記凹溝の底側の一部に相当する部分がその余の部分よりも切断力に対して強靱となるように形成されている。
【００１６】
このような構成によれば、凹溝の底側の一部に相当するミシン目の一部分を切断することなく、この部分に沿って折り立て片を容易に折り立てることができ、ひいては台紙を筒状に曲げやすくすることができる。
【００１７】
他の好ましい実施の形態としては、上記台紙の上縁には、互いに対向して綴じ合わせておくための一対の凸部が設けられている。
【００１８】
このような構成によれば、一対の凸部を綴じ合わせておくことで台紙を薄手に折り畳んだ状態として封止しておくことができる。
【００１９】
他の好ましい実施の形態としては、上記一対の凸部のうちの一方の角には、切り欠き部が形成されている。
【００２０】
このような構成によれば、使用する際、一対の凸部のうちの一方の切り欠き部から他方の凸部の角を摘んで双方の凸部を剥がしやすく、折り畳んだ状態の台紙を容易に筒状に展開することができる。
【００２１】
他の好ましい実施の形態としては、上記フィルタは、上記台紙の内側面に接着された開口上部と、当該台紙の下縁よりも下方に位置する底部とを有している。
【００２２】
このような構成によれば、台紙が封止された状態ではフィルタの開口上部も閉じた状態とされる一方、使用する際には台紙を筒状に展開するだけでフィルタの開口上部を容易に開いた状態にすることができる。
【００２３】
他の好ましい実施の形態としては、上記フィルタ内には、上記底部が袋状に折り畳まれた状態で飲料抽出原料が収容されている。
【００２４】
このような構成によれば、台紙を筒状に展開してフィルタを開いた状態にすると、フィルタの底部が両側に広がってこの部分に多くの飲料抽出原料が溜まりやすい状態となり、このようなフィルタの底部から飲料抽出原料の成分をより多く抽出させることができる。
【００２５】
他の好ましい実施の形態としては、上記台紙の上縁には、当該台紙を筒状に保持するための一対の切り返し部が設けられている。
【００２６】
このような構成によれば、使用する際に切り返し部をたとえば台紙の内側に向けて折り返すことにより、台紙を筒状に保ったまま器の上縁に載置することができる。
【００２７】
本願発明のその他の特徴および利点は、添付図面を参照して以下に行う詳細な説明によって、より明らかとなろう。
【発明を実施するための最良の形態】
【００２８】
以下、本願発明の好ましい実施の形態を、図面を参照して具体的に説明する。図１〜５は、本願発明に係る飲料抽出用パックの一実施形態を示している。
【００２９】
本実施形態の飲料抽出用パックＡ１は、たとえば茶葉を抽出原料として湯飲み茶碗などの器Ｂに茶を抽出するためのものであって、台紙１およびフィルタ２を基本的な構成要素として備えている。台紙１は、図１および図２に示されているように、封止状態から使用状態に展開した状態で筒状を呈し、器Ｂの上縁Ｂ１に下縁を接するようにして載置される。フィルタ２は、茶葉などの抽出原料（図示略）をあらかじめ収容した状態で台紙１の内側に一体化されており、使用時に器Ｂの内部に入れられた状態で湯が注がれる。
【００３０】
台紙１は、図３に示されているように所定形状にカットした厚紙からなり、その両端部１Ａ，１Ｂを互いに接着してさらに２箇所の折れ線部１Ｃに折り目を付けることにより、図２に示すような封止状態となっている。この台紙１の下縁４箇所には、器Ｂの上縁Ｂ１に対してこれを跨ぐように係合可能な凹部１０Ａ，１０Ｂが設けられている。これら４箇所の凹部１０Ａ，１０Ｂは、台紙１が筒状に展開した状態では２箇所ずつまとまった凹部１０Ａ，１０Ｂの組が対向するようになっている。また、台紙１の下縁側には、各凹部１０Ａ，１０Ｂの一部分とこれらの中間部分１１とを一続きのミシン目１２で区切るようにして折り立て片１３が設けられている。台紙１の上縁において上記中間部分１１と対応する箇所には、互いに対向して綴じ合わせておくための一対の凸部１４Ａ，１４Ｂが設けられている。さらに、台紙１の上縁側において折れ線部１Ｃと対応する箇所には、当該台紙１を筒状に保持するための一対の切り返し部１５が設けられている。
【００３１】
凹部１０Ａと凹部１０Ｂとの間の中間部分１１は、器Ｂの上縁Ｂ１内側に配置される部分として凸状を呈しており、各凹部１０Ａ，１０Ｂの底辺から数ｍｍ程度下側に張り出ている。この中間部分１１は、使用時に器Ｂの上縁Ｂ１内側に接するように配置される。これにより、台紙１は、器Ｂの上縁Ｂ１に安定した状態でセットされる。台紙１の下縁において各折れ線部１Ｃと対応する箇所にも、凸状の部分１６が形成されているが、この凸状の部分１６は、使用時に器Ｂの上縁Ｂ１外側に配置される。
【００３２】
ミシン目１２は、凹部１０Ａ，１０Ｂの組ごとに各凹部１０Ａ，１０Ｂの底辺一部と中間部分１１とを一括して折り立て片１３とするように連続形成されている。折り立て片１３は、ミシン目１２に沿って外側に折り立てられる。この折り立て片１３を折り立てた状態では、各凹部１０Ａ，１０Ｂの底側に幅寸法が大小異なる凹溝１７Ａ，１７Ｂが形成される。凹溝１７Ａと凹溝１７Ｂとの間の中間部分１７Ｃもまた、器Ｂの上縁Ｂ１内側に接するように配置される部分として凸状を呈しており、凹溝１７Ａ，１７Ｂの底辺から数ｍｍ程度下側に張り出ている。この中間部分１７Ｃによっても、台紙１が器Ｂの上縁Ｂ１に安定した状態でセットされる。このような凹溝１７Ａ，１７Ｂは、図５によく示されているように、比較的深さのある器Ｃに対して使用する際、その器Ｃの上縁Ｃ１に挟み込まれる。また、ミシン目１２は、上記各凹溝１７Ａ，１７Ｂの底辺一部に相当する部分１２Ａがその余の部分１２Ｂよりも切断力に対して強靱となるように形成されている。すなわち、ミシン目１２に沿って折り立て片１３を折り立てる際には、上記ミシン目１２の部分１２Ａに沿って折り立て片１３が外側に折り返される一方、各凹溝１７Ａ，１７Ｂの両側や中間部分１７Ｃ、さらには幅寸法の大きい凹溝１７Ａの底辺一部に相当するミシン目１２の部分１２Ｂが容易に切り離されるようになっている。
【００３３】
上記一対の凸部１４Ａ，１４Ｂのうち、一方の凸部１４Ａの角には、切り欠き部１４ａが形成されている。上記一対の凸部１４Ａ，１４Ｂは、双方の内側面を点状に接着することで互いに綴じ合わされている。また、フィルタ１２と重ならない台紙１の内側面同士も、点状に接着することによって互いに綴じ合わされている。台紙１を筒状に展開する際には、綴じられた上記凸部１４Ａ，１４Ｂや台紙１の内側面同士を互いに離間するようにして引き剥がすことができる。このとき、一方の凸部１４Ａの切り欠き部１４ａから他方の凸部１３Ｂの角を摘むことにより、双方の凸部１４Ａ，１４Ｂを引き剥がしやすい。これにより、折り畳んで封止状態とされた台紙１を容易に筒状に展開することができる。台紙１を筒状に展開した後は、切り返し部１５が内側に折り込まれる（図１および図５参照）。このような切り返し部１５によれば、使用時に台紙１が封止された状態に戻ろうとすることなく筒状のかたちに保たれ、台紙１を筒状に保ったまま使用することができる。なお、凸部１４Ａ，１４Ｂについては、ミシン目１４Ｃに沿って外側に折り曲げたり、あるいは切除することができる。
【００３４】
フィルタ２は、図４に示されているように所定形状にカットした不織布からなり、その中間部分を折れ線部２Ａ〜２Ｃに沿って内側に折り込み、さらに両端部２Ｄ，２Ｅの折り重なった部分をたとえばヒートシールで接着することにより形成されている。このようなフィルタ２は、図１や図２などに示すように、開口上部２０と底部２１とを有する袋状を呈しており、フィルタ２の内部には、あらかじめ茶葉が収容されている。フィルタ２の開口上部２０は、その外側部分が台紙１の内側面に接着されている。これにより、台紙１が筒状に展開した状態では、フィルタ２の内部に湯を注ぎやすいように開口上部２０が大きく開いた状態となる。台紙１が封止状態の場合には、開口上部２０が閉じた状態とされることから、フィルタ２の内部に収容された茶葉が外部に出ることはない。フィルタ２の底部２１は、台紙１の下縁よりも相当下方に位置しており、使用時には、フィルタ２の底部２１が大きく広がってこの部分に茶葉が溜まりやすい状態となる。
【００３５】
次に、飲料抽出用パックＡ１の作用について説明する。
【００３６】
図１に示すように、飲料抽出用パックＡ１を比較的浅い器Ｂに使用する場合には、台紙１の折り立て片１３を折り立てたりあるいは切除することなく、各凹部１０Ａ，１０Ｂを器Ｂの上縁Ｂ１に跨ぐようにしてセットする。このとき、フィルタ２は、開口上部２０が開いた状態で器Ｂの内部に底部２１が十分入った状態となる。
【００３７】
その後、フィルタ２の開口上部２０から湯を注ぐ。これにより、器Ｂの内部にフィルタ２を通して湯が注ぎ込まれるとともに、フィルタ２の内部に収容された茶葉の成分がにじみ出る。このとき、ある程度の湯が注がれると、器Ｂの内部に溜まった湯にフィルタ２の底部２１が適度に浸かった状態となる。そのため、フィルタ２内の茶葉も器Ｂの内部において湯に浸かった状態となり、茶葉の成分が器Ｂ内の湯に対してにじみ出やすくなる。このように器Ｂの内部においてフィルタ２内の茶葉を湯に浸けた状態を長くするほど、濃い味の茶をつくることができ、その逆にフィルタ２内の茶葉を湯に浸けた状態を短くするほど、薄い味の茶をつくることができ、いずれにしても使用者は、フィルタ２内の茶葉が器Ｂ内の湯に浸かることで適度な味の茶を簡単につくることができる。なお、器Ｂの上縁Ｂ１内側に位置する台紙１の中間部分１１は、器Ｂの上縁Ｂ１からそれほど深く入り込まないため、この中間部分１１が器Ｂの内部に溜まった湯に触れることはほとんどない。
【００３８】
一方、図５に示すように、飲料抽出用パックＡ１を比較的深さのある器Ｃに対して使用する場合には、台紙１の折り立て片１３を外側に向けて折り立てる。これにより、凹部１０Ａ，１０Ｂよりも深く切れ込んだ凹溝１７Ａ，１７Ｂが形成され、台紙１は、これらの凹溝１７Ａ，１７Ｂを器Ｃの上縁Ｃ１に挟み込むようにして係合される。このとき、台紙１は、図１の状態よりも器Ｃの上縁Ｃ１に対して下側に係合された状態になることから、台紙１の折り立て片１３を折り立てた場合においても、フィルタ２の底部２１は、器Ｃの内部に十分入った状態となる。なお、折り立て片１３を折り立てる場合には、ミシン目１２のうち、各凹溝１７Ａ，１７Ｂの両側や中間部分１７Ｃ、さらには幅寸法の大きい凹溝１７Ａの底辺一部に相当する部分１２Ｂが容易に切り離され、各凹溝１７Ａ，１７Ｂの底辺一部に相当する比較的小さい部分１２Ａのみを介して折り立て片１３が台紙１と繋がった状態となる。これにより、台紙１を筒状に安定して保つことができる。
【００３９】
その後、図１の場合と同様にしてフィルタ２の開口上部２０から湯を注ぐ。これにより、器Ｃの内部にフィルタ２を通して湯が注ぎ込まれるとともに、フィルタ２の内部に収容された茶葉の成分がにじみ出る。このときにおいても、ある程度の湯が注がれると、器Ｃの内部に溜まった湯にフィルタ２の底部２１が適度に浸かった状態となる。そのため、フィルタ２内の茶葉も器Ｃの内部において湯に浸かった状態となり、茶葉の成分が器Ｃ内の湯に対してにじみ出やすくなる。なお、図５の状態において、器Ｃの上縁Ｃ１内側に位置する台紙１の中間部分１７Ｃもまた、器Ｃの上縁Ｃ１からそれほど深く入り込まないため、この中間部分１７Ｃが器Ｃの内部に溜まった湯に触れることはほとんどない。
【００４０】
したがって、本実施形態の飲料抽出用パックＡ１によれば、器Ｃのように比較的深さのある器に使用してもフィルタ２内の茶葉の成分をにじみ出しやすくすることができ、深さの異なる各種の器に対応することができる。
【００４１】
図６〜８は、本願発明に係る飲料抽出用パックの他の実施形態を示している。なお、先述した実施形態と同一あるいは類似の構成要素については、同一符号を付してその説明を省略する。
【００４２】
本実施形態の飲料抽出用パックＡ２においては、ミシン目１２’および折り立て片１３Ａ’，１３Ｂ’が先述した実施形態のものとは若干異なる。図６および図７に示されているように、ミシン目１２’は、凹部１０Ａ，１０Ｂごとに個別に折り立て片１３Ａ’，１３Ｂ’を型取るように形成されている。これらの折り立て片１３Ａ’，１３Ｂ’を折り立てた状態では、各凹部１０Ａ，１０Ｂの底側に幅寸法が大小異なる凹溝１７Ａ’，１７Ｂ’が形成される。凹部１０Ａと凹部１０Ｂとの間の中間部分１１は、図８によく示されているように、凹溝１７Ａ’と凹溝１７Ｂ’との間の部分として残存しつつ、器Ｃの上縁Ｃ１内側に接するように凸状を呈している。このような中間部分１１によれば、台紙１を器Ｃの上縁Ｃ１により安定した状態でセットすることができる。また、ミシン目１２’は、上記各凹溝１７Ａ’，１７Ｂ’の底辺一部に相当する部分１２Ａ’がその余の部分１２Ｂ’よりも切断力に対して強靱となるように形成されている。すなわち、このようなミシン目１２’に沿って折り立て片１３Ａ’，１３Ｂ’を折り立てる際には、上記ミシン目１２’の部分１２Ａ’に沿って折り立て片１３Ａ’，１３Ｂ’が外側に折り返される一方、幅寸法の大きい凹溝１７Ａ’の底辺一部に相当するミシン目１２’の部分１２Ｂ’などが容易に切り離されるようになっている。したがって、飲料抽出用パックＡ２を使用する際においても、台紙１を筒状に安定して保つことができる。
【００４３】
次に、飲料抽出用パックＡ２の作用について説明する。
【００４４】
特に図示しないが、飲料抽出用パックＡ２を比較的浅い器に使用する場合には、図１の場合と同様である。
【００４５】
一方、図８に示すように、飲料抽出用パックＡ２を比較的深さのある器Ｃに対して使用する場合には、台紙１の折り立て片１３Ａ’，１３Ｂ’をそれぞれ外側に向けて折り立てる。このような形態によっても、凹部１０Ａ，１０Ｂよりも深く切れ込んだ凹溝１７Ａ’，１７Ｂ’が形成され、台紙１は、これらの凹溝１７Ａ’，１７Ｂ’を器Ｃの上縁Ｃ１に挟み込むようにして係合される。これにより、本実施形態の飲料抽出用パックＡ２を用いて器Ｃに湯を注ぐようにしても、器Ｃの内部に溜まった湯にフィルタ２の底部２１が適度に浸かり、フィルタ２内の茶葉も器Ｃの内部において湯に浸かった状態になることから、茶葉の成分が器Ｃ内の湯に対してにじみ出やすくなる。
【００４６】
したがって、本実施形態の飲料抽出用パックＡ２によっても、器Ｃのように比較的深さのある器に使用してもフィルタ２内の茶葉の成分をにじみ出しやすくすることができ、深さの異なる各種の器に対応することができる。
【図面の簡単な説明】
【００４７】
【図１】本願発明に係る飲料抽出用パックの一実施形態を示す全体斜視図である。
【図２】図１に示す飲料抽出用パックの平面図である。
【図３】図１に示す飲料抽出用パックの台紙の展開図である。
【図４】図１に示す飲料抽出用パックのフィルタの展開図である。
【図５】図１とは異なる飲料抽出用パックの使用形態を示す全体斜視図である。
【図６】本願発明に係る飲料抽出用パックの他の実施形態を示す平面図である。
【図７】図６に示す飲料抽出用パックの台紙の展開図である。
【図８】図６に示す飲料抽出用パックの使用形態を示す全体斜視図である。
【符号の説明】
【００４８】
Ａ１，Ａ２          飲料抽出用パック
Ｂ，Ｃ              器
Ｂ１，Ｃ１          上縁
１                  台紙
１０Ａ，１０Ｂ      凹部
１１                凹部の中間部分
１２，１２’        ミシン目
１３                折り立て片（除去片）
１３Ａ’，１３Ｂ’  折り立て片（除去片）
１４Ａ，１４Ｂ      凸部
１４ａ              切り欠き部
１５                切り返し部
１７Ａ，１７Ｂ      凹溝
１７Ａ’，１７Ｂ’  凹溝
２                  フィルタ
２０                開上部
２１                底部
【図１】
2006130113.tif 000003
【図２】
2006130113.tif 000004
【図３】
2006130113.tif 000005
【図４】
2006130113.tif 000006
【図５】
2006130113.tif 000007
【図６】
2006130113.tif 000008
【図７】
2006130113.tif 000009
【図８】
2006130113.tif 000010